(57)【要約】      （修正有）【課題】ナイロン製パンティストッキングを男性や子供にも利用出来るようにして利用価値を更に高める。【解決手段】男性がトイレで小用を足す時に便利なように、パンストの股間部分に男性器の取り出しが出来るよう切れ目を設けた布地等を貼り、パンストの切れ目部分をカットするタイプ股間部分の織り方を厚くして補強し、カットしてもパンストにデンセンが生じないようにして、男性器の取り出しが出来るよう切れ目を設けたタイプ小用時に少し不便ではあるが、股間部分には特に補強はしないで、既製のパンストと同じタイプのもので男性の体型（やせ型、肥満型、標準型）に合わせたもの、３種類提供する。【選択図】図１
0003137794.tif 000002
【実用新案登録請求の範囲】
【請求項１】
女性専用だったナイロン製パンティストッキングを男性にも普及することを目的とするもの。
男性がトイレで小用の際、便利なように従来のパンストを改良加工して提供する。
又、従来の女性専用タイプもカラフルにして男性も利用しやすいようにして提供する。
【考案の詳細な説明】
【技術分野】
【０００１】この考案はナイロン製パンストを男性や子供にも巾広く利用してもらう為の考案である。
【背景技術】
【０００２】ナイロン製パンストは、これまで女性専用のストッキングとして利用されてきたが、殆ど男性には利用されていないのが実状である。既に防寒用として股引があり、ファッションとしてはタイツも市販されているので、男性用のパンストは必要とされなかった。
しかし、パンストは安価で、軽量の割には保温性もあり、薄い素材による製品なので股引等、他の下着との重ね着も違和感が少ないので、男性がトイレで小用の際便利なように改造したり、既製のタイプをカラフルなものにすれば、防寒用としてだけでなく、ファッションとして男性や子供にも利用出来、更に利用価値が高まる。
【考案の開示】
【考案が解決しようとする課題】
【０００３】厳寒期に男性が下着として利用してきた股引だけでは不十分な時、パンストを重ね着することにより暖房効果が高まる。気候が温暖な時期にはスポーツや行楽の際のファッションとして利用出来るだけでなく、防虫効果も期待出来る。
【課題を解決する為の手段】
【０００４】男性がトイレで小用を足す時に便利なようにパンストを改造する。（図１）又、多少不便ではあるが従来女性が利用してきたものと同じタイプのものを男性も利用する。（図２）ファッション性を重視し、カラフルなものにして、男女とも気楽に着用出来るものにする。
【考案の効果】
【０００５】既存の製品を一部改良するか、そのまま利用するだけで女性専用と思われてきたパンストを男性や子供にも利用出来れば、厳寒期には股引き等の厚手の下着と重ね着することにより、防寒用の補助衣類となりウォーム・ビズの一環として役立つ。気候の温暖な時期には、半ズボンの下に着用すればファッションとしての効果も期待出来る。
【考案の実施するための最良の形態】
【０００６】厳寒期のゴルフや釣り等スポーツや行楽の際、股引等の厚手の下着とパンツの間にパンストを着用することにより、一層の暖房効果を得る。気候が温暖な時期には、テニスやバレーボール等のスポーツで半ズボンを着用する際、チ−ムカラーのパンストを利用したり、カップルや家族が同じカラ−のパンストをズボンの下に着用すればファッションとして役立つ。  又、行楽や夏のキャンプの際に着用すれば蚊やその他の虫の害を防ぐ効果も期待できる。その為には大人から子供まで巾広い層に対応出来るようにサイズとカラーを豊富に製造し提供することが必要である。尚、従来と同じ素材及び製法によるパンストを普及型とする他、更に堅固な素材又は製造法による堅固型タイプも提供する。
【図面の簡単な説明】
【０００７】
【図１】男性専用タイプのパンストである………小用の時便利なようにストッキングの股間部分に切れ目のついた布がついている。股間部分の布地は堅固型と普及型の２タイプを想定。
【図２】男女兼用タイプのパンストである………従来の女性専用のストッキングと同じタイプ。
【図１】
0003137794.tif 000003
【図２】
0003137794.tif 000004
【手続補正書】
【提出日】平成19年6月6日(2007.6.6)
【手続補正１】
【補正対象書類名】実用新案登録請求の範囲
【補正対象項目名】請求項１
【補正方法】変更
【補正の内容】
【請求項１】
（１）男性がトイレで小用の際便利なように、
（２）従来のパンストを改良加工して、
（３）男性も利用しやすいようにした、
男性用ナイロン製パンティストッキング
【手続補正書】
【提出日】平成19年9月6日(2007.9.6)
【手続補正１】
【補正対象書類名】実用新案登録請求の範囲
【補正対象項目名】全文
【補正方法】変更
【補正の内容】
【実用新案登録請求の範囲】
【請求項１】
股間部分に男性器の取り出しが出来るように、切れ目を設けた布地等を貼った男性用ナイロン製パンティストッキング
【請求項２】
股間部分を同じ素材で織り方を厚くして補強した上で、男性器の取り出しが出来るように切れ目を設けた、男性用ナイロン製パンティストッキング
【請求項３】
男女兼用のタイプとして、胴回り等を男性の体型（やせ型、肥満型、標準型）に合わせて製造した、男性用ナイロン製パンティストッキング
【手続補正書】
【提出日】平成19年9月6日(2007.9.6)
【手続補正１】
【補正対象書類名】明細書
【補正対象項目名】全文
【補正方法】変更
【補正の内容】
【考案の詳細な説明】
【技術分野】
【０００１】この考案はナイロン製パンストを男性や子供にも巾広く利用してもらう為の考案である。
【背景技術】
【０００２】ナイロン製パンストは、これまで女性専用のストッキングとして利用されてきたが、殆ど男性には利用されていないのが実状である。既に防寒用として股引があり、ファッションとしてはタイツも市販されているので、男性用のパンストは必要とされなかった。
【考案の開示】
【考案が解決しようとする課題】
【０００３】パンストは安価で、軽量の割には保温性もあり、薄い素材による製品なので股引等、他の下着との重ね着も違和感が少ないので、男性がトイレで小用の際、便利なように改造したり、既製のパンストの胴回り等を男性の体型に合わせ、カラフルなものにすれば、防寒用としてだけでなく、ファッションとして男性や子供にも利用出来更に利用価値が高まる。
【課題を解決する為の手段】
【０００４】男性がトイレで小用を足す時に便利なように、パンストの股間部分に男性器の取り出しが出来るよう切れ目を設けた布地等を貼り、パンストの切れ目部分をカットするタイプ（図１、図２）、股間部分の織り方を厚くして補強し、カットしてもパンストにデンセンが生じないようにして、男性器の取り出しが出来るよう切れ目を設けたタイプ（図３、図４）
小用時に少し不便ではあるが、股間部分には特に補強はしないで、既製のパンストと同じタイプのもので男性の体型（やせ型、肥満型、標準型）に合わせたもの、３種類提供する。
【考案の効果】
【０００５】既存の製品を一部改良するか、そのまま利用するだけで女性専用と思われてきたパンストを男性や子供にも利用出来れば、厳寒期には股引き等の厚手の下着と重ね着することにより、防寒用の補助衣類となりウォーム・ビズの一環として役立つ。気候の温暖な時期には、半ズボンの下に着用すればファッションとしての効果も期待出来る。又、夏のキャンプや行楽時には蚊や虫よけとしても一定の効果が期待できる。
【考案の実施するための最良の形態】
【０００６】（１）パンストの股間部分に男性器の取り出しが出来るように、切れ目を設けた布地を貼ることにより、デンセンしないようにしてパンスト部分の切れ目をカットしたもの。切れ目の周囲は損傷しにくいように縫製されている（図１、２）
（２）パンストの股間部分の織り方を厚くして補強し、カットしてもパンストにデンセンが生じないようにして男性器の取り出しが出来るよう切り目を設けたもの。（図３、４）
（３）股間部分には特に補強はしないで、既製のパンストと同じタイプのものを男性の体型（痩せ型、肥満型、標準型）に合わせて提供する。（図５）
【図面の簡単な説明】
【０００７】
【図１】  男性専用タイプのパンストで股間部分に布地等を貼ったもの
【図２】  図１の股間布地部分の拡大図である
【図３】  男性専用タイプのパンストで股間部分の織り方を厚くして補強したもの
【図４】  図３の切れ目部分の拡大図である
【図５】  男女兼用タイプのパンストである
【符号の説明】
【０００８】    Ａ  ．．．．パンストの胴回りの部分
Ｂ  ．．．．パンストの内側に貼る布地等
Ｃ  ．．．．男性器を取り出す為の切れ目
Ｄ  ．．．．切れ目の周囲を縫製等で強化した部分
Ｅ  ．．．．パンストと同じ素材で厚く織った部分
【手続補正２】
【補正対象書類名】図面
【補正対象項目名】全図
【補正方法】変更
【補正の内容】
【図１】
0003137794.tif 000005
【図２】
0003137794.tif 000006
【図３】
0003137794.tif 000007
【図４】
0003137794.tif 000008
【図５】
0003137794.tif 000009